(57)【要約】【課題】ノズルカバー部内の液面から挿入部の先端が突き出るのを防止する。【解決手段】洗浄槽３１の上部開口を開閉するトップカバー５８は、ノズルカバー部６２と、接液面６３とを有している。ノズルカバー部６２は、消毒液供給ノズル３９と洗浄槽３１の一部とを覆う。接液面６３は、洗浄槽３１に嵌合し、洗浄槽３１内に貯えられている消毒液８１に接している。接液面６３には、ノズルカバー部６２を部分的に塞ぐ金網６５が取り付けられている。金網６５は、洗浄槽３１内で乱れた内視鏡１０の挿入部１１の先端が、ノズルカバー部６２内で消毒液８１の液面から突き出るのを阻止する。【選択図】図４
2009225812.tif 000002
【特許請求の範囲】
【請求項１】
内視鏡を収容する洗浄槽と、
前記内視鏡の消毒に用いられる消毒液を前記洗浄槽の上方から吐出して前記洗浄槽内に供給する給液ノズルと、
前記洗浄槽の上部の開口を開閉する蓋に設けられ、前記蓋が閉じられているときに前記給液ノズルと、前記洗浄槽の一部とを覆うノズルカバー部と、
前記蓋に設けられ、前記蓋が閉じられているときに前記洗浄槽内に貯えられた前記消毒液に接する接液面と、
前記内視鏡が前記ノズルカバー部内の液面から突出しないように、前記ノズルカバー部を部分的に塞ぐ網状体とを備えたことを特徴とする内視鏡洗浄消毒装置。
【請求項２】
前記網状体は、前記蓋に取り付けられていることを特徴とする請求項１記載の内視鏡洗浄消毒装置。
【請求項３】
前記網状体は、前記洗浄槽内に貯えられている前記消毒液に接することを特徴とする請求項１または２記載の内視鏡洗浄消毒装置。
【発明の詳細な説明】
【技術分野】
【０００１】
本発明は、内視鏡を収容する洗浄槽と、洗浄槽の上部の開口を開閉する蓋とを備えた内視鏡洗浄消毒装置に関する。
【背景技術】
【０００２】
生体の体腔内の検査や治療に使用される医療機器として、内視鏡が知られている。内視鏡は、体腔内に挿入される挿入部を備えている。挿入部は、可撓性を有する棒状体であり、体腔内を撮影する撮影部と、処置具が挿通される鉗子チャンネル等の各種チャンネルを備えている。内視鏡には、上部消化器官用、下部消化器官用、気管支用等、様々なタイプがある。挿入部の長さは、内視鏡のタイプにより異なっており、１ｍ以下のものから１．５ｍを超えるものまで様々である。
【０００３】
使用後の内視鏡は、挿入部の外表面と各チャンネル内等に付着した体液や汚物を除去するため、必ず洗浄、消毒されている。内視鏡に付着している体液や汚物は、水や洗剤を用いて洗い流される。洗浄後の内視鏡は、消毒液中に浸漬される。洗浄で除去されなかった病原菌やウイルスが消毒液により除去され、または病原性が消失される。
【０００４】
内視鏡の洗浄、消毒を効率的に行うため、内視鏡洗浄消毒装置が利用されている。図９に示すように、従来の内視鏡洗浄消毒装置１１０は、洗浄槽１１１と、供給ポート１１２等を備えている。洗浄槽１１１は、上部が開放された水槽であり、使用後の内視鏡１１３が収容される。供給ポート１１２は、給水ノズル１１４、消毒液供給ノズル１１５等を備えている。図１０に示すように、消毒液供給ノズル１１５は、洗浄槽１１１の上方から消毒液を吐出して洗浄槽１１１内に供給している。これは、洗浄槽１１１内に貯えられた消毒液１２０が、消毒液供給ノズル１１５等に逆流するのを防止するためである。
【０００５】
内視鏡洗浄消毒装置１１０は、洗浄槽１１１の上部の開口１１１ａを開閉するトップカバー１１７を備えている。トップカバー１１７は、内視鏡１１３の洗浄、消毒時に閉じられている。トップカバー１１７には、ノズルカバー部１１８と、接液面１１９とが設けられている。ノズルカバー部１１８は、供給ポート１１２と洗浄槽１１１の一部とを覆う凹部形状を有している。接液面１１９は、トップカバー１１７が閉じられているときに、洗浄槽１１１内に貯えられた消毒液１２０に接触し、内視鏡１１３とともに消毒される（例えば、特許文献１参照）。
【特許文献１】特許第３２１９７３０号公報
【発明の開示】
【発明が解決しようとする課題】
【０００６】
挿入部１２４は、環状に巻かれて洗浄槽１１１内に収容されている。しかし、長い挿入部１２４を有する内視鏡１１３は、図９に示すように、洗浄槽１１１内で挿入部１２４が乱れてしまうことがある。これは、挿入部１２４が適切に巻かれていない状態で内視鏡１１３が洗浄槽１１１に収容されたときに、洗浄時に噴射される洗浄液の勢いや、洗浄液の渦流、何らかの振動や衝撃によって発生すると考えられる。
【０００７】
また、図１０に示すように、洗浄槽１１１内で乱れた挿入部１２４の先端が、ノズルカバー部１１８内で消毒液１２０の液面から突出することがある。内視鏡洗浄消毒装置１１０の近傍に作業者が待機しているときには、トップカバー１１７を開いて内視鏡１１３を収容しなおすことができる。しかし、内視鏡洗浄消毒装置１１０は、全自動で洗浄、消毒を行うことができるので、無人で運用されることがある。この無人運用中に挿入部１２４の先端がノズルカバー部１１８内の液面から突出すると、挿入部１２４の先端は、消毒液１２０に対する浸漬時間が他の部分よりも短くなるので、消毒が不完全になることがある。
【０００８】
本発明の目的は、ノズルカバー部内に挿入部の先端が突き出るのを防止することにある。
【課題を解決するための手段】
【０００９】
本発明の内視鏡洗浄消毒装置は、内視鏡を収容する洗浄槽と、内視鏡の消毒に用いられる消毒液を洗浄槽の上方から吐出して洗浄槽内に供給する給液ノズルとを備えている。洗浄槽の上部の開口を開閉する蓋には、この蓋が閉じられているときに給液ノズルと洗浄槽の一部とを覆うノズルカバー部が設けられている。また、蓋には、蓋が閉じられているときに洗浄槽内に貯えられた消毒液に接する接液面が設けられている。内視鏡がノズルカバー部内の液面から突出しないように、ノズルカバー部を部分的に塞ぐ網状体を備えている。
【００１０】
網状体は、蓋に取り付けてもよい。また、網状体は、洗浄槽内に貯えられている消毒液に接することが好ましい。
【発明の効果】
【００１１】
本発明によれば、ノズルカバー部が網状体によって部分的に塞がれているので、内視鏡がノズルカバー部内の液面から突出するのを防止することができる。また、供給ノズルによる洗浄槽への消毒液の供給が阻害されることもない。蓋に網状体を取り付けているので、内視鏡を洗浄槽内に収容する際に網状体が邪魔にならない。更に、網状体が洗浄槽内に貯えられた消毒液に接するので、内視鏡、接液面とともに網状体を消毒することができる。
【発明を実施するための最良の形態】
【００１２】
図１に示す内視鏡１０は、本発明の内視鏡洗浄消毒装置によって洗浄、消毒される内視鏡の一例である。内視鏡１０は、生体の体腔内に挿入される挿入部１１と、挿入部１１を操作する操作部１２とを備えている。
【００１３】
挿入部１１は、断面が円形の棒状体であり、可撓性を有している。挿入部１１の先端には、体腔内を照明する照明部と、体腔内を撮影する撮影部（図示せず）とが設けられている。挿入部１１内には、挿入部１１の先端から一端が露呈されている送気・送水チャンネル１５、及び鉗子チャンネル１６が設けられている。鉗子チャンネル１６には、吸引チャンネル１７が接続されている。
【００１４】
操作部１２には、鉗子口２０、送気・送水ボタン２１、吸引ボタン２２が設けられている。鉗子口２０には、使用時に取り外される鉗子口キャップ２３が嵌合されている。送気・送水ボタン２１及び吸引ボタン２２は、装着口１２ａ，１２ｂに着脱自在に取り付けられている。鉗子口キャップ２３、送気・送水ボタン２１及び吸引ボタン２２は、内視鏡１０の洗浄時に操作部１２から取り外される。
【００１５】
操作部１２に接続されたユニバーサルコード２５及びコネクタ部２６内には、送気・送水チャンネル１５及び吸引チャンネル１７と、照明部及び撮影部の配線が組み込まれている。コネクタ部２６には、配線を光源装置やビデオプロセッサに接続する接点部が設けられている。内視鏡１０の洗浄時には、コネクタ部２６の接点部を隠して防水する防水キャップ２７（図３参照）が装着される。
【００１６】
図２に示す内視鏡洗浄消毒装置（以下、装置と呼ぶ）２８は、使用後の内視鏡１０を収容して洗浄、消毒する装置である。装置２８は、箱状の装置本体３０を備えている。装置本体３０の上面には、使用後の内視鏡１０が収容される洗浄槽３１が設けられている。洗浄槽３１は、上部が開放された水槽であり、例えばステンレス等の耐熱性、耐蝕性等に優れた金属板で形成されている。
【００１７】
装置本体３０の上面手前には、操作パネル３３、及び表示パネル３４が配されている。操作パネル３３は、内視鏡１０の洗浄、消毒に関する各種設定や、洗浄及び消毒の開始または停止等を指示するための多数のボタンからなる。表示パネル３４には、例えば液晶ディスプレイ（ＬＣＤ）が用いられ、各種設定画面、各工程の残り時間、トラブル発生時の警告メッセージ等が表示される。
【００１８】
図３に示すように、洗浄槽３１の角部に設けられた傾斜部３１ｂには、供給ポート３６が設けられている。供給ポート３６は、給水ノズル３７、洗剤供給ノズル３８、消毒液供給ノズル３９から構成されている。給水ノズル３７は、洗浄槽３１の上方から水を吐出して洗浄槽３１内に供給している。洗剤供給ノズル３８は、洗浄槽３１の上方から洗剤（例えば、液状酵素洗剤等）を吐出して洗浄槽３１内に供給している。消毒液供給ノズル３９は、洗浄槽３１の上方から消毒液（例えば、グルタールアルデヒトや過酢酸、オルトフタルアルデヒト等）を吐出して洗浄槽３１内に供給している。
【００１９】
図４に示すように、各ノズル３７〜３９は、例えば、円弧状に屈曲された金属製のパイプからなり、先端の吐出口３７ａ〜３９ａが洗浄槽３１内に向けられている。各吐出口３７ａ〜３９ａは、洗浄槽３１の上方に配されている。これは、洗浄槽３１内に貯えられた液体がノズル内に逆流するのを防止するためである。
【００２０】
洗浄槽３１の内側面３１ｃには、チャンネル洗浄ポート４１が設けられている。チャンネル洗浄ポート４１は、内視鏡１０の送気・送水チャンネル１５、鉗子チャンネル１６及び吸引チャンネル１７内の洗浄、消毒に用いられる。チャンネル洗浄ポート４１には、送気・送水チャンネル用カプラ４２、吸引チャンネル用カプラ４３、鉗子チャンネル用カプラ４４が設けられている。
【００２１】
洗浄槽３１に収容された内視鏡１０は、柔軟性を有するチューブ４６〜４８によって、装着口１２ａ，１２ｂ及び鉗子口２０と、各カプラ４２〜４４とが接続される。各カプラ４２〜４４からは、水、洗浄液、消毒液、アルコール、及び圧縮エア等の気体及び液体が、送気・送水チャンネル１５、鉗子チャンネル１６及び吸引チャンネル１７内に供給される。
【００２２】
洗浄槽３１の内側面３１ｄには、内視鏡１０の気密試験に用いられる気密試験ポート５０が設けられている。気密試験ポート５０には、圧縮エアを供給するチューブカプラ５０ａが設けられている。チューブカプラ５０ａには、柔軟性を有するチューブが装着される。チューブは、コネクタ部２６に装着された防水キャップ２７に接続される。内側面３１ｄには、液面センサ５１が設けられている。液面センサ５１は、洗浄槽３１内に貯えられた液体の液面位置を検出する。
【００２３】
洗浄槽３１の底面３１ｅには、小物洗浄かご５３が取り付けられている。小物洗浄かご５３は、例えば上部が開口された円形のかごであり、内視鏡１０の操作部１２から取り外された送気・送水ボタン２１、吸引ボタン２２、鉗子口キャップ２３等の小物部品が収容される。また、底面３１ｅの角部には、廃液口５４が設けられている。廃液口５４は、洗浄槽３１から使用済みの水、洗浄液、消毒液を排出する。内側面３１ｆには、洗浄槽３１の内外を通気する通気孔５５が設けられている。
【００２４】
装置本体３０の上面には、洗浄槽３１の上部の開口３１ａを開閉するトップカバー５８が設けられている。トップカバー５８は、例えば透明なプラスチックで形成された矩形の板状体であり、装置本体３０の上面に設けられたヒンジ５９に一辺が軸支されている。詳しくは図示しないが、トップカバー５８には、閉じ位置でロックするためのロック機構が設けられている。
【００２５】
トップカバー５８の内面外周には、ゴムやエラストマー等で形成された防水パッキン６０が設けられている。防水パッキン６０は、トップカバー５８が閉じられたときに洗浄槽３１の上面外周に設けられた縁部３１ｇに当接し、洗浄槽３１内を密閉する。
【００２６】
トップカバー５８には、ノズルカバー部６２と接液面６３とが設けられている。ノズルカバー部６２は、トップカバー５８の外面側に向けて膨出された凹状部である。図４に示すように、ノズルカバー部６２は、供給ポート３６の各ノズル３７〜３９の上方と、洗浄槽３１の一部とを覆う。洗浄槽３１の一部とは、供給ポート３６の各ノズル３７〜３９から洗浄槽３１内に液体が吐出される範囲である。
【００２７】
図４には図示していないが、ノズルカバー部６２は、液面センサ５１の先端部の上方も覆っている。液面センサ５１は、洗浄槽３１に貯えられた液体の液面を検出できるように、先端部が洗浄槽３１の上面よりも高い位置に配置されているからである。
【００２８】
接液面６３は、トップカバー５８の厚み方向に突出された平板状部である。接液面６３は、トップカバー５８が閉じられたときに、ノズルカバー部６２により覆われる範囲を除いて、洗浄槽３１の開口３１ａ全体に嵌合する。
【００２９】
接液面６３には、ノズルカバー部６２の周囲に、弾性自在な複数個の挟持片６４が設けられている。各挟持片６４には、ノズルカバー部６２を部分的に塞ぐ金網６５の外周が挟持されている。金網６５は、例えば、ステンレス等の金属線からなり、内視鏡１０の挿入部１１の先端がノズルカバー部６２内で消毒液の液面から突出するのを防止している。
【００３０】
金網６５は、トップカバー５８が閉じられるときに供給ポート３６の各ノズル３７〜３９と、液面センサ５１とに干渉しない形状をしている。金網６５の網目は、内視鏡１０の挿入部１１が突き出ない大きさである。挿入部１１の先端径は、その用途に応じて様々なので、金網６５の網目の大きさは、最も径の細い挿入部１１よりも小さいことが好ましい。
【００３１】
図５は、装置本体３０内の配管系統を示している。洗浄槽３１の下面には、ラバーヒータ６６が取り付けられている。ラバーヒータ６６は、洗浄槽３１を介して、洗浄槽３１内に貯えられた洗浄液または消毒液を加熱する。洗浄槽３１内には、供給ポート３６等の他に、洗浄液または消毒液の温度を計測する温度センサ（ＴＥ）６７が設けられている。
【００３２】
給水ノズル３７には、水、洗浄液、消毒液が流される給液路６８が接続されている。給液路６８の他端は、電動三方弁６９の一端に接続されている。電動三方弁６９の他端には、給水路７０が接続されている。給水路７０は、装置本体３０の外部に露呈されて水道水の蛇口に接続されている。
【００３３】
給水路７０には、蛇口に接続される側から電磁弁７２、ウォータフィルタ（以下、ＷＦと省略する）７３が設けられている。電磁弁７２は、給水路７０に対する水道水の供給／停止を切り換える。ＷＦ７３は、水道水に含まれる異物や細菌を捕捉する。電動三方弁６９は、洗浄槽３１内に水を供給する際に、給液路６８と給水路７０とを接続する。
【００３４】
洗剤供給ノズル３８には、洗剤供給路７５が接続されている。洗剤供給路７５の他端は、洗剤７６が貯えられた洗剤タンク７７に接続されている。洗剤供給路７５には、ウォータポンプ（以下、ＷＰと省略する）７８が設けられている。ＷＰ７８は、洗剤タンク７７内の洗剤７６を吸引して、洗剤供給ノズル３８から吐出させる。
【００３５】
消毒液供給ノズル３９には、消毒液供給路８０が接続されている。消毒液供給路８０の他端は、消毒液８１が貯えられた消毒液タンク８２に接続されている。消毒液供給路８０には、ＷＰ８３が設けられている。ＷＰ８３は、消毒液タンク８２内の消毒液８１を吸引して消毒液供給ノズル３９から吐出させる。消毒液タンク８２には、使用済みの消毒液８１を排出する排出通路８２ａが設けられている。
【００３６】
廃液口５４には、下流側で分岐された廃液路８５が接続されている。分岐された一方の第１廃液路８６は、内視鏡１０の洗浄で使用された洗浄液、水をＷＰ８７によって装置本体３０の外に排出する。他方の第２廃液路８８は、内視鏡１０の消毒に使用された消毒液８１を消毒液タンク８２に戻す。消毒液８１は、数回の使用では消毒効果が消失しないので、消毒液タンク８２に戻されて繰り返し使用される。第１廃液路８６及び第２廃液路８８は、各々に設けられた電磁弁８９、９０の開閉により切り換えられる。
【００３７】
廃液口５４には、洗浄槽３１に貯えられた洗浄液、消毒液８１、水を循環させる循環路９２も接続されている。循環路９２には、洗浄槽３１内の液体を吸引するＷＰ９３が設けられている。循環路９２は、ＷＰ９３の下流側で第１循環路９４と第２循環路９５とに分岐されている。第１循環路９４は、電動三方弁６９に接続されている。電動三方弁６９は、洗浄槽３１内に貯えられた水、洗浄液、消毒液８１を循環させる際に、給液路６８と第１循環路９４とを接続する。
【００３８】
第２循環路９５は、上述したチャンネル洗浄ポート４１の各カプラ４２〜４４に接続されている。第２循環路９５に流された洗浄液、消毒液８１、水は、チャンネル洗浄ポート４１の各カプラ４２〜４４、チューブ４６〜４８を経て、送気、送水チャンネル１５、鉗子チャンネル１６及び吸引チャンネル１７を洗浄、消毒する。
【００３９】
チャンネル洗浄ポート４１には、第２循環路９５の他、各チャンネル内に送風して水滴を除去する送気路、各チャンネル内にアルコールを流して乾燥させるアルコール供給路等が接続されている。なお、図面の煩雑化を防ぐため、図５には、送気路、アルコール供給路等を図示していない。
【００４０】
図６に示すように、装置２８は、装置全体を統括的に制御するＣＰＵ９６と、制御プログラムや各種データが記憶されたＲＯＭ９７と、ＲＯＭ９７から読み出された制御プログラムの実行領域であるＲＡＭ９８とを備えている。ＣＰＵ９６には、表示パネル３４を駆動するＬＣＤドライバ９９、各電磁弁を駆動する弁ドライバ１００等が接続されている。また、電動三方弁６９を駆動するモータドライバ１０１、各ＷＰを駆動するＷＰドライバ１０２、ラバーヒータ６６を駆動するヒータドライバ１０３もＣＰＵ９６に接続されている。
【００４１】
図７のフローチャートを参照して、内視鏡洗浄消毒装置２８による内視鏡１０の洗浄、消毒工程を説明する。内視鏡１０は、検査終了後すぐにシンク等で水洗い（予備洗浄）され、付着している汚物等が乾燥して落ちにくくなる前に洗い流される。なお、予備洗浄後すぐに内視鏡１０の洗浄を行えるように、装置２８の電源をオンしておくことが好ましい。
【００４２】
内視鏡１０の操作部１２から送気・送水ボタン２１、吸引ボタン２２、鉗子口キャップ２３等の小物部品が取り外され、小物洗浄かご５３に収容される。操作部１２は、装着口１２ａ，１２ｂがチャンネル洗浄ポート４１に対面するように洗浄槽３１内に収容される。挿入部１１は、環状に巻かれて小物洗浄かご５３の外周に載置される。コネクタ部２６は、ユニバーサルコード２５が屈曲されて気密試験ポート５０の近傍に配置される。コネクタ部２６には、防水キャップ２７が装着される。金網６５は、トップカバー５８とともに洗浄槽３１の上方から移動しているので、内視鏡１０を収容する際に金網６５が邪魔になることはない。
【００４３】
チャンネル洗浄ポート４１の送気・送水チャンネル用カプラ４２、吸引チャンネル用カプラ４３、鉗子チャンネル用カプラ４４には、チューブ４６〜４８がそれぞれ取り付けられる。チューブ４６〜４８は、内視鏡１０の送気・送水ボタンの装着口１２ａ、吸引ボタンの装着口１２ｂ、鉗子口２０にそれぞれ接続される。
【００４４】
内視鏡１０の洗浄槽３１への収容後、トップカバー５８が閉じられる。ノズルカバー部６２は、供給ポート３６及び液面センサ５１の上方を覆う。接液面６３は、洗浄槽３１の開口３１ａ全体に嵌合する。金網６５は、トップカバー５８が閉じられる際に供給ポート３６の各ノズル３７〜３９、液面センサ５１等に干渉しない。
【００４５】
内視鏡１０の挿入部１１が長い場合、洗浄槽３１内で挿入部１１が乱れ、挿入部１１の先端がノズルカバー部６２内となる位置に突出されることがある。本発明では、金網６５が挿入部１１の先端を洗浄槽３１内に押し戻すので、内視鏡１０を収容しなおす必要はない。
【００４６】
操作パネル３３が操作され、内視鏡１０の洗浄処理が開始される。ＣＰＵ９６は、弁ドライバ１００を制御して電磁弁７２を開く。また、モータドライバ１０１を制御して電動三方弁６９切り換え、給液路６８と給水路７０とを接続させる。水道管からの水圧によって給水路７０を流れた水は、ＷＦ７３により清浄化される。給水路７０を経て給液路６８に流れた水は、給水ノズル３７から洗浄槽３１内に噴射される。
【００４７】
ＣＰＵ９６は、洗浄槽３１への給水開始と同時にＷＰ７８を駆動させ、洗剤供給ノズル３８から所定量の洗剤７６を洗浄槽３１内に吐出させる。これにより、洗浄槽３１内には、水と洗剤７６とが混合された洗浄液が生成される。洗浄槽３１内の洗浄液の量は、液面センサ５１により検出される。ＣＰＵ９６は、洗浄液の液面が所定位置に達したときに電磁弁７２を閉じて給水を停止させる。
【００４８】
ＣＰＵ９６は、ヒータドライバ１０３を制御してラバーヒータ６６を駆動させる。ラバーヒータ６６の熱は、洗浄槽３１を介して洗浄液に伝達される。洗浄液の温度は、温度センサ６７により検出される。ＣＰＵ９６は、洗浄液が所定の温度を保つようにラバーヒータ６６を制御する。
【００４９】
ＣＰＵ９６は、電動三方弁６９を切り換えて給液路６８と第１循環路９４とを接続し、ＷＰ９３を駆動させる。廃液口５４に排出された洗浄液は、循環路９２、第１循環路９４、給液路６８を流れ、給水ノズル３７によって内視鏡１０に向けて噴射される。内視鏡１０の外表面に付着した体液や汚物は、噴射された洗浄液の衝撃と、循環時の渦流によって洗い流される。洗浄液の循環により洗剤の濃度勾配が平準化されるため、洗浄槽３１内の全域で同じ洗浄力を得ることができる。
【００５０】
また、循環路９２を流れた洗浄液は、第２循環路９５、チャンネル洗浄ポート４１等を経て内視鏡１０内に供給される。内視鏡１０内に供給された洗浄液は、送気・送水チャンネル１５、鉗子チャンネル１６及び吸引チャンネル１７内を洗浄する。
【００５１】
ＣＰＵ９６は、所定時間の経過後に電磁弁８９を開いてＷＰ８７を駆動させる。洗浄に使用された洗浄液は、廃液口５４、廃液路８５、第１廃液路８６を流れて装置本体３０の外に排出される。なお、循環路９２等の内部に洗浄液が残らないようにするため、ＷＰ９３は洗浄液の排出終了後に駆動が停止される。
【００５２】
洗浄液を内視鏡１０から除去するため、水によるすすぎが実施される。ＣＰＵ９６は、洗浄槽３１内に所定量の水を供給し、この水を循環させて内視鏡１０の外表面と各チャンネル内に付着した洗浄液を除去する。水の供給、すすぎ後の水の排出は、洗浄時と同じなので詳しい説明は省略する。
【００５３】
ＣＰＵ９６は、ＷＰ８３を駆動させ、洗浄槽３１内に消毒液８１を供給する。ＣＰＵ９６は、液面センサ５１により洗浄槽３１内の消毒液８１の液面位置を検出する。ＣＰＵ９６は、消毒液８１の液面位置がトップカバー５８の接液面６３に接触する位置になったときに、ＷＰ８３を停止させる。金網６５は、トップカバー５８が閉じられたときに接液面６３よりも低い位置に配置されるので、消毒液８１に水没する。
【００５４】
ＣＰＵ９６は、ラバーヒータ６６及び温度センサ６７を用いて消毒液８１を所定の温度まで加熱する。ＣＰＵ９６は、消毒液８１の加熱後、ＷＰ９３を駆動させ、洗浄槽３１内と、各チャンネル内で消毒液８１を循環させる。内視鏡１０の外表面と各チャンネルは、消毒液８１に浸漬されて消毒される。ＣＰＵ９６は、所定時間の経過後に電磁弁９０を開き、消毒液８１を消毒液タンク８２に戻す。
【００５５】
従来の内視鏡洗浄消毒装置では、洗浄液の噴射や渦流、何らかの振動や衝撃等により、挿入部１１が洗浄槽３１内で移動してノズルカバー部６２内の液面から突出することがあった。本発明では、金網６５によりノズルカバー部６２を部分的に塞いでいるので、挿入部１１の先端がノズルカバー部６２内で消毒液８１の液面から突出することはない。
【００５６】
消毒終了後、内視鏡１０から消毒液８１を除去するため、すすぎが行われる。ＣＰＵ９６は、すすぎの終了後に内視鏡１０の各チャンネル内に送風して水滴を除去し、次いで、各チャンネル内にアルコールを流して乾燥させる。
【００５７】
内視鏡１０の洗浄、消毒の完了後にトップカバー５８が開放され、洗浄槽３１から内視鏡１０が取り出される。トップカバー５８の接液面６３及び金網６５は、内視鏡１０とともに消毒されているので、すすぎ時に接液面６３及び金網６５に付着した水滴により内視鏡１０が再び汚染されることはない。
【００５８】
図８に示すように、洗浄槽３１に金網１０５を取り付けてもよい。上記実施形態と同様に、内視鏡１０の挿入部１１がノズルカバー部６２内に突出するのを防止することができる。なお、内視鏡１０を洗浄槽３１に収容する際に金網１０５が邪魔になる場合には、例えば、ノズルカバー部６２を塞ぐ位置と、洗浄槽３１上から退避する位置との間で金網１０５を開閉自在にしてもよい。
【００５９】
また、ノズルカバー部６２を塞ぐのは金網に限定されず、例えば、柔軟性のあるネットや、格子状の部材等を用いてもよい。各ノズル３７〜３９から吐出される液体が洗浄槽３１内に供給されるのを阻害せずに、かつ挿入部１１の先端がノズルカバー部６２内に突出するのを防止することができればよい。
【図面の簡単な説明】
【００６０】
【図１】内視鏡の構成例を示す平面図である。
【図２】本発明の内視鏡洗浄消毒装置の外観形状を示す斜視図である。
【図３】洗浄槽の構成を示す平面図である。
【図４】トップカバーを閉じたときの洗浄槽を示す断面図である
【図５】装置本体内の概略的な配管系統を示す配管図である。
【図６】内視鏡洗浄消毒装置の電気的構成の一部を示すブロック図である。
【図７】内視鏡の洗浄、消毒手順を示すフローチャートである。
【図８】洗浄槽に金網を設けた内視鏡洗浄消毒装置の斜視図である。
【図９】従来の内視鏡洗浄消毒装置の洗浄槽及びトップカバーを示す斜視図である。
【図１０】従来の内視鏡洗浄消毒装置のトップカバーを閉じたときの洗浄槽を示す断面図である
【符号の説明】
【００６１】
１０  内視鏡
１１  挿入部
１２  操作部
２８  内視鏡洗浄消毒装置
３０  装置本体
３１  洗浄槽
３１ａ  開口
３６  供給ポート
５８  トップカバー
６２  ノズルカバー部
６３  接液面
６５  金網
８１  消毒液
【図１】
2009225812.tif 000003
【図２】
2009225812.tif 000004
【図３】
2009225812.tif 000005
【図４】
2009225812.tif 000006
【図５】
2009225812.tif 000007
【図６】
2009225812.tif 000008
【図７】
2009225812.tif 000009
【図８】
2009225812.tif 000010
【図９】
2009225812.tif 000011
【図１０】
2009225812.tif 000012